(57)【要約】【課題】放射光線の透過光の強度の違いにより、視覚上の色の濃度にコントラストを発生させ、パッケージレンズの表面上に形成するキャビティ突起の数を調整することにより、様々な発光パターンを生成させる。【解決手段】発光ダイオードランプレンズ構造は、パッケージベース１１０と、パッケージベース１１０上に配置された導電台部１２０と、導電台部１２０上に設けられ、導電台部１２０と電気的に接続されたＬＥＤチップ１３０と、円形断面の中央突起１４１および複数の円形断面の周囲突起１４２を有するパッケージレンズ１４０とを備える。中央突起１４１の中心は、パッケージベース１１０上のＬＥＤチップ１３０にアライメントされ、周囲突起１４２は、中央突起１４１の中心を円心として、中央突起１４１の周囲に環状に配列されている。【選択図】図１
0003137436.tif 000002
【実用新案登録請求の範囲】
【請求項１】
パッケージベースと、
前記パッケージベース上に配置された導電台部と、
前記導電台部上に設けられ、前記導電台部と電気的に接続されたＬＥＤチップと、
円形断面の中央突起および複数の円形断面の周囲突起を有するパッケージレンズと、を備え、
前記中央突起の中心は、前記パッケージベース上の前記ＬＥＤチップにアライメントされ、前記周囲突起は、前記中央突起の中心を円心として、前記中央突起の周囲に環状に配列されていることを特徴とする発光ダイオードランプレンズ構造。
【請求項２】
前記ＬＥＤチップは、前記導電台部の凹部の中に配置されていることを特徴とする請求項１に記載の発光ダイオードランプレンズ構造。
【請求項３】
前記周囲突起の円形断面の半径は、前記中央突起の円形断面の半径よりも小さいか等しいことを特徴とする請求項１に記載の発光ダイオードランプレンズ構造。
【請求項４】
前記中央突起の立体形状は、球形の一部、円錐形、または円柱形であることを特徴とする請求項１に記載の発光ダイオードランプレンズ構造。
【請求項５】
前記周囲突起の立体形状は、球形の一部、円錐形、または円柱形のいずれか、若しくはそれらのうちの複数種類の組み合わせを含むことを特徴とする請求項１に記載の発光ダイオードランプレンズ構造。
【請求項６】
パッケージベースと、
前記パッケージベース上に配置された導電台部と、
前記導電台部上に設けられ、前記導電台部と電気的に接続されたＬＥＤチップと、
円形断面の中央突起および複数の円形断面の周囲突起を有するパッケージレンズと、を備え、
前記周囲突起の円形断面の半径は、前記中央突起の円形断面の半径よりも小さいか等しく、
前記中央突起の中心は、前記パッケージベース上の前記ＬＥＤチップにアライメントされ、前記周囲突起は、前記中央突起の中心を円心として、前記中央突起の周囲に環状に配列されていることを特徴とする発光ダイオードランプレンズ構造。
【請求項７】
前記ＬＥＤチップは、前記導電台部の凹部の中に配置されていることを特徴とする請求項６に記載の発光ダイオードランプレンズ構造。
【請求項８】
前記中央突起の立体形状は、球形の一部、円錐形、または円柱形であることを特徴とする請求項６に記載の発光ダイオードランプレンズ構造。
【請求項９】
前記周囲突起の立体形状は、球形の一部、円錐形、または円柱形のいずれか、若しくはそれらのうちの複数種類の組み合わせを含むことを特徴とする請求項６に記載の発光ダイオードランプレンズ構造。
【考案の詳細な説明】
【技術分野】
【０００１】
本考案は、発光ダイオードランプレンズ構造に関し、特にパッケージレンズの表面に複数のキャビティ（ｃａｖｉｔｙ）突起が形成され、パッケージレンズ上のキャビティ突起を透過する光線の強度に応じ、特定の発光パターンを生成する発光ダイオードランプレンズ構造に関する。
【背景技術】
【０００２】
発光ダイオード（Ｌｉｇｈｔ−Ｅｍｉｔｔｉｎｇ  Ｄｉｏｄｅ：ＬＥＤ）は、高輝度、低消費電力、長寿命、安全、高速反応などの多くの長所を備える上、輝度レベルが向上しているため、電子装置やランプの照明として広く利用されている。一般のランプは、使用習慣上、照射面が円形であるが、ＬＥＤランプ上に配置される発光ダイオードは、回路基板上にアレイ状に配列されていた。そのため、一般のランプの円形照射面を投射するには適当でなかった。従来技術では、一般に１つのＬＥＤランプが複数の発光ダイオードの組み合わせにより構成され、照射面が生成されていた。或いは、一般のランプの円形照射面を得るため、ＬＥＤチップを直接円形に配置し、光学２次レンズが追加されたものもあった。
【考案の開示】
【考案が解決しようとする課題】
【０００３】
ＬＥＤは、その技術の普及に伴って次第に従来の電球を代替し、装飾用光源（例えば、クリスマスツリーの装飾ランプ、ショーウィンドウの装飾ランプ、室内用装飾ランプなど）として主に利用されるようになってきた。ＬＥＤランプの応用方法の一つとしては、花のつぼみにＬＥＤランプが利用され、プラスチック製の花びらとともにきれいに組み合わせたものがある。しかし、従来のＬＥＤランプは、単一の封止樹脂キャビティレンズに封止して形成されたＬＥＤランプを異なる色のＬＥＤランプに形成することができたが、この単一のＬＥＤランプでは、装飾用に様々な発光形状パターンを生成させることは非常に困難であった。
【０００４】
本考案の目的は、放射光線の透過光の強度の違いにより、視覚上の色の濃度にコントラストを発生させ、パッケージレンズの表面上に形成するキャビティ突起の数を調整することにより、様々な発光パターン（例えば、花びら、花のつぼみの形状、模様、特性など）を生成することが可能な発光ダイオードランプレンズ構造を提供することにある。
【課題を解決するための手段】
【０００５】
本願第１の考案である発光ダイオードランプレンズ構造は、パッケージベースと、前記パッケージベース上に配置された導電台部と、前記導電台部上に設けられ、前記導電台部と電気的に接続されたＬＥＤチップと、円形断面の中央突起および複数の円形断面の周囲突起を有するパッケージレンズと、を備え、前記中央突起の中心は、前記パッケージベース上の前記ＬＥＤチップにアライメントされ、前記周囲突起は、前記中央突起の中心を円心として、前記中央突起の周囲に環状に配列されていることを特徴とする。
【０００６】
本願第１の考案である発光ダイオードランプレンズ構造は、パッケージベースと、前記パッケージベース上に配置された導電台部と、前記導電台部上に設けられ、前記導電台部と電気的に接続されたＬＥＤチップと、円形断面の中央突起および複数の円形断面の周囲突起を有するパッケージレンズと、を備え、前記周囲突起の円形断面の半径は、前記中央突起の円形断面の半径よりも小さいか等しく、前記中央突起の中心は、前記パッケージベース上の前記ＬＥＤチップにアライメントされ、前記周囲突起は、前記中央突起の中心を円心として、前記中央突起の周囲に環状に配列されていることを特徴とする。
【考案の効果】
【０００７】
本考案の発光ダイオードランプレンズ構造は、放射光線の透過光の強度の違いにより、視覚上の色の濃度にコントラストを発生させ、パッケージレンズの表面上に形成するキャビティ突起の数を調整することにより、様々な発光パターンを生成させることができる。
【考案を実施するための最良の形態】
【０００８】
以下、本考案の実施形態について説明する。
【０００９】
以下、図面を参照しながら本考案の一実施形態である発光ダイオードランプレンズ構造について説明する。図１は、本考案の一実施形態による発光ダイオードランプレンズ構造を示す断面図である。本考案の一実施形態による発光ダイオードランプレンズ構造１００は、パッケージベース１１０を含み、パッケージベース１１０上には導電台部１２０が配置されている。そして、パッケージベース１１０の導電台部１２０上には、ＬＥＤチップ１３０が配置されている。また、パッケージベース１１０上には、凹部１２１が上に設けられた導電台部１２０が形成されている。ＬＥＤチップ１３０は、導電台部１２０の凹部１２１の中に配置され、導電台部１２０は、導電ライン１５０を介してＬＥＤチップ１３０と電気的に接続されている。さらに、発光ダイオードランプレンズ構造１００のパッケージレンズ１４０の中にＬＥＤチップ１３０が封止されている。上述のパッケージレンズ１４０の外面には、中央突起１４１および複数の周囲突起１４２が形成され、中央突起１４１の中心は、パッケージベース１１０上のＬＥＤチップ１３０にアライメントされ、複数のキャビティ突起を有するパッケージレンズ１４０が形成されている。
【００１０】
図２から図５は、本考案の一実施形態による複数の立体幾何学形状のキャビティ突起を有するパッケージレンズを示す模式図である。パッケージレンズ１４０の外面において、中央突起１４１および周囲突起１４２の水平方向に関する断面は円形であり、周囲突起１４２の円形断面の半径は、中央突起１４１の円形断面の半径よりも小さいか同じである。周囲突起１４２は、中央突起１４１の中心を円心として、中央突起１４１の周囲に環状に配列されている。これにより、中央突起１４１の周囲に複数の環状に配列された周囲突起１４２を有するパッケージレンズ１４０が形成されている。なお、中央突起１４１および周囲突起１４２の立体形状は、半球形（図２に示す）、円錐形（図３に示す）、円柱形（図４に示す）などの立体幾何形状にしてもよい。さらには、中央突起１４１および周囲突起１４２の立体形状は、図５に示すように、上述の立体幾何形状である半球形（球形の一部）、円錐形、円柱形の組み合わせとしてもよい。図５では、中央突起１４１を半球形、周囲突起１４２を円錐形及び円柱形の組み合わせとしている。発光ダイオードが発光すると、パッケージレンズ１４０を介して放射される放射光線が様々な立体形状であるキャビティ突起を透過する。そのため、パッケージレンズ１４０上のキャビティ突起の封止樹脂の厚さに応じ、透過光の強度が変化し、視覚上の色の濃度にコントラストを発生させ、特定の発光パターンを表示させることができる。
【００１１】
これにより、本考案が提供する発光ダイオードランプレンズ構造は、放射光線の透過光の強度により視覚上の色の濃度にコントラストを発生させ、パッケージレンズの表面上に形成するキャビティ突起の数を調整することにより、様々な発光パターン（例えば、花びら、花のつぼみの形状、模様、特性など）を生成することができる。
【００１２】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００１３】
【図１】本考案の一実施形態による発光ダイオードランプレンズ構造を示す断面図である。
【図２】本考案の一実施形態による複数の立体幾何学形状のキャビティ突起を有するパッケージレンズを示す図であり、（ａ）は平面図、（ｂ）は正面図である。
【図３】本考案の一実施形態による複数の立体幾何学形状のキャビティ突起を有するパッケージレンズを示す図であり、（ａ）は平面図、（ｂ）は正面図である。
【図４】本考案の一実施形態による複数の立体幾何学形状のキャビティ突起を有するパッケージレンズを示す図であり、（ａ）は平面図、（ｂ）は正面図である。
【図５】本考案の一実施形態による複数の立体幾何学形状のキャビティ突起を有するパッケージレンズを示す図であり、（ａ）は平面図、（ｂ）は正面図である。
【符号の説明】
【００１４】
１００  発光ダイオードランプレンズ構造
１１０  パッケージベース
１２０  導電台部
１２１  凹部
１３０  ＬＥＤチップ
１４０  パッケージレンズ
１４１  中央突起
１４２  周囲突起
１５０  導電ライン
【図１】
0003137436.tif 000003
【図２】
0003137436.tif 000004
【図３】
0003137436.tif 000005
【図４】
0003137436.tif 000006
【図５】
0003137436.tif 000007